(57)【要約】【課題】  ベランダやバルコニーに設ける手摺りの支柱の取り付け時に取り付け状態を調整するすることが可能な支柱用芯材の取り付け構造を得る。【解決手段】  支柱用芯材３の下端に対しアンカープレート１を取り付ける。アンカープレート１は長穴１ａを介してボルト４を挿通し、これを締めることにより取付けられるため、ベランダ側に凹設されたアンカープレート１のアンカー２が挿通する挿通穴の形成位置が多少誤っていても、この長穴１ａを用いてアンカープレート１と支柱用芯材３の取り付け位置を相対的にずらせることにり支柱用芯材３を適正位置に配置する。また支柱用芯材３の垂直度はアンカー２とこのアンカー２が挿通する挿通穴の取り合わせを調整することにより実施される。所定の位置で所定の垂直度を満たしたならば支柱用芯材３とベンラダとの間にモルタル等の固定材を入れて支柱用芯材３ををしっかりと固定し、最終的にこの支柱用芯材３に支柱を嵌挿する。【選択図】        図１
2009180073.tif 000002
【特許請求の範囲】
【請求項１】
ベランダやバルコニー等のコンクリート構造物に形成される手摺り等の支柱を支持する支柱用芯材を取り付ける構造において、支柱用芯材と、この支柱用芯材の下端に取り付けられるアンカープレートと、コンクリート構造物に形成された凹所とからなり、アンカープレート裏面にはアンカーが突出形成され、コンクリート構造物の凹所底面に形成されたアンカー挿入用の挿入穴にアンカーを挿入し、アンカーと挿入穴との取り合わせを調整することにより支柱用芯材の垂直度を調整可能に構成したことを特徴とする支柱用芯材の取り付け構造。
【請求項２】
支柱用芯材の下端部とアンカープレートとの取り付け位置が調整可能に構成されていることを特徴とする請求項１記載の支柱用芯材の取り付け構造。
【請求項３】
アンカープレートには複数の長穴が形成され、この長穴を挿通してビスが配置され、長穴に対するビスの挿通位置を変位させることによりアンカープレートと支柱用芯材の取り付け位置が調整可能に構成されたことを特徴とする請求項２記載の支柱用芯材の取り付け構造。
【請求項４】
支柱用芯材は断面略Ｈ型のむく材により形成され、Ｈ型の対向する平行部の端部近傍にそれぞれビス挿通部が形成されていることを特徴とする請求項１乃至３のいずれかに記載の支柱用芯材の取り付け構造。
【請求項５】
アンカープレートに設けられたアンカーは拡張型アンカーであることを特徴とする請求項１乃至４の何れかに記載の支柱用芯材の取り付け構造。
【発明の詳細な説明】
【技術分野】
【０００１】
本発明はアパート、マンション等のコンクリート構造物のバルコニーやベランダ等に設置される手摺り、或いは囲いの支柱、より具体的には支柱を支持する芯材を取り付ける構造に関する。
【背景技術】
【０００２】
上記のコンクリート構造物においては、下記特許文献記載のようにバルコニーやベランダ（以下実施例も含めてベランダで代表する）部分にアンカーボルトを立設し、このアンカーボルトに連結部材を固定し、かつこの連結部材に対して支柱を嵌挿して支柱を立設する方法が多用されている。
【特許文献１】特開２０００−１２９７７４
【特許文献２】特開２００６−０７７５１４
【特許文献３】特開２００６−３３６２２３
【０００３】
上記従来技術は、ベランダに立設されたアンカーボルトに対して先ず連結部材を螺合立設させ、この連結部材に対して支柱の下部を嵌挿して支柱を立設し、連結部材と支柱を螺子止め等の手段で固定することにより支柱をベランダに対して立設させる構成となっている点が共通している。
【０００４】
この種の構成は、支柱の立設が比較的容易であり、特にベランダ部分を予め工場等で形成しかつこのベランダ部分をコンクリート構築物に取り付けるプレキャスト方式の場合には、工場でベランダ部分にアンカーボルトを予め立設しておくことにより建設現場では連結部材の取り付け、支柱の嵌挿固定という作業のみで支柱の立設固定が可能となるため、作業の簡易化、迅速化を実現することができる。
【０００５】
しかしながら、これらの方式には上述のような利点が認められる反面、次のような問題点が指摘されている。
即ち、上記構成はアンカーボルトが正しく立設されていれば全く問題なく容易に支柱の取り付けが可能であるが、このアンカーボルトが僅かに傾いていても、連結部材を介して長尺の支柱を立てるとアンカーボルトの傾きが支柱の長さに比例して鉛直線からずれることになり、支柱取り付けの修正をせざるを得なくなる。プレキャスト方式でも、建築現場で直接立設する場合でもアンカーボルトは短いものであるため、このアンカーボルト自体の僅かな傾きの発見は事実上不可能であり、支柱を立ててから発見されることが殆どである。
【０００６】
このようにアンカーボルトに傾きがある場合には、建築現場においてアンカーボルトに対して螺合している連結部材の一部を削る等の作業を行うことにより連結部材と支柱の取り合わせを調整して支柱を垂直に立て直す作業を別途行う必要が発生する。この場合、大幅な調整は連結部材と支柱との取り付け強度を減少させることにもなりかねず、その調整には当然限界が生じることになる。
【０００７】
またプレキャストのベランダの取り付け位置の僅かなずれ等によりアンカーボルトが適正位置からずれてしまう事態も皆無ではない。この場合、アンカーボルトの位置が比較的僅かに相違した場合でも、支柱に桟を取り付ける構成にあっては支柱に取り付ける桟の取り付け位置がずれたり、桟が取り付けられなかったりする事態が、またパネルを取り付ける構成にあってはパネルが各支柱間で入らなくなったり、逆にパネルが外れやすくなったりする事態が発生する。この場合には調整方法はないので、はつり作業によりこのアンカーボルトを一旦取り外し、再度適正位置に立設する作業を行わねばならなくなる。
【発明の開示】
【発明が解決しようとする課題】
【０００８】
図５は上記従来技術の問題点を一部改良した構成を示す。
符号５０はプレキャストのベランダであり、ベランダ５０の先端部の支柱立設部分には凹所５１が形成され、この凹所５１の底面に雌ねじ５２が埋設固定されている。５３は連結部材であり、この連結部材５３の下端には雄ねじ５４が設けられている。この雄ねじ５４を前記雌ねじ５２に螺合させ、かつ両ねじの螺合が進行する途中で連結部材５３に支柱５５を嵌挿する。この状態で支柱５５が垂直であるか傾いているかが判るので、支柱５５が傾いている場合には雄ねじ５４と雌ねじ５２の螺子面の僅かな間隙と両螺子を構成する金属の僅かな弾性を利用して支柱を垂直に調整しながら支柱５５を介して連結部材５３を回動させ両螺子５４と５２を螺合させる。最後に支柱が垂直状態を維持するよう支柱５５と凹所５１との間にくさび等の固定部材を一時的に配置し、この状態で支柱５５と凹所５１との間の空間部にモルタル等の固定材を注入してベランダ５１に対して支柱５５を垂直に固定する。
【０００９】
また、連結部材５３を廃して支柱５５に直接、或いは支柱５５の長さに匹敵する支柱用芯材に対して直接雄ねじ５４を取り付ける構成も実施されている。この方法及び上記の連結部材５３を用いる方法法のいずれであっても、これらの方法によれば支柱の垂直方向に対する調整は比較的容易に行うことができるが、ねじ込みを進行させている状態において、螺子が進行する方向を無理に調整する方法であって、ねじの螺合状態に大きなストレスを加えるやや乱暴な方法である。このため調整状態によっては雄ねじや雌ねじに対して直接に、或いはこれら雄ねじや雌ねじの取り付け部分に大きな負荷がかかり、取り付け部や螺合部の強度の低下等を招くおそれがある。また、何れの方法もアンカーボルトの配置位置のずれに対する微調整はできない。
【課題を解決するための手段】
【００１０】
本発明は上記従来技術の問題点を解決すべく構成したものである。
即ち、本発明は支柱下端に対して直接或に、或いは支柱用芯材に対して、アンカーを突設したアンカープレートを取り付け、アンカープレートは長穴等を介して支柱芯材にボルト止めするよう構成されることによってアンカープレートと支柱の取り付け位置の微調整が可能となるよう構成される。
【００１１】
一方支柱の取り付け対象であるベランダには支柱の取り付け位置に凹所が形成され、かつ凹所の底面にはアンカー嵌挿用の挿入穴が形成され、アンカープレートのアンカーをこの挿入穴に挿通させ、必要とあればアンカープレートとの取り付け位置を微調整することにより支柱用芯材の立設位置を調整し、かつ支柱用芯材のアンカーと挿入穴の取り合わせにより支柱用芯材に嵌挿された支柱を垂直に調整することを可能に構成した支柱の取り付け構造であることを特徴とする。
【発明の効果】
【００１２】
アンカープレートは支柱用芯材に対して取り付け位置の調整が可能なように取り付けられるため、アンカー挿入穴の形成位置が多少ずれても、アンカープレートと支柱用芯材の取り付け位置を相対的にずらすことにより適正な取り付け位置で支柱を立設することが可能となる。このため従来のようにアンカーボルトの位置変更に伴う、はつり作業によるアンカーボルトの取り外し及び正しい位置での再立設作業等の面倒な作業が不要となる。
【００１３】
支柱の垂直度の調整もアンカープレートのアンカーと、このアンカーが挿入するアンカー挿入穴との取り合わせの調整でおこなうため、従来のような螺合状態の雄ねじと雌ねじの螺合状態を調整する場合と比較して接続部に特別な応力が発生することもなく、容易に垂直度を調整することができる。
【発明を実施するための最良の形態】
【００１４】
支柱用芯材は筒型のものではなく、例えば断面Ｈ型或いはこの形状を変形させた形状のアルミニウム等の所謂むく材を用いることにより芯材に内部空間を形成せず、従来のように内部空間に進入した雨水の排除に必要な構成を不要とする。
【実施例１】
【００１５】
以下本発明の実施例を図面を参考に具体的に説明する。
本発明は支柱に対して直接構成することも可能であるが、以下支柱用芯材に対して実施する場合を例に説明する。なおここで支柱用芯材とは支柱とほぼ同じ長さを有する支柱支持用の部材のことをいう。
図１において図（Ａ）及び図（Ｂ）は支柱用芯材の下端部に取り付けるアンカープレート１を示す。このアンカープレート１は鋼等の強固な材料から構成され、アンカープレート１の裏面（後述するベランダの凹所底面と当接する面）にはアンカー２が溶接等の強固な接続手段により取り付けられている。
【００１６】
なお、アンカー２は単なる棒状体の構成の他、アンカー２の本体下部に例えば断面円形の内部空間を有し、かつこの内部空間に対してくさび部２ａが嵌挿されており、更にくさび２ａの部嵌挿部の側壁には１以上のスリット２ｂが形成された拡張型のアンカーとしてもよい。この拡張型のアンカーであれば後述するように支柱用芯材３を凹所に打ち込んだ時にくさび部２ａがアンカー本体内に進入してアンカー２を拡開し、これによりベランダ側のアンカー２の挿入部分と強力に当接する事が可能となる。このような構成のアンカーを有するアンカープレート１に対してはアンカー２の取り付け部を中心として４か所に長穴１ａが形成されている。
【００１７】
一方支柱用芯材（符号３で示す）は同図（Ｃ）、（Ｄ）で示すように断面略Ｈ型を変形させた形状で、かつむく材として構成されている。支柱用芯材３には同（Ｄ）で示すように四隅に、より具体的には上記Ｈ型の対向する水平部の各端部近傍にビス挿通穴３ａが形成されている。このように構成された支柱用芯材３の底部に対して、支柱用芯材３の各ビス挿通穴３ａにアンカープレート１の各長穴１ａが位置するようにしてアンカープレート１を当接し、この状態でビス挿通穴３ａと長穴１ａを挿通してビス４を配置し、これらを挿通したビス４にナット（図示せず）を螺合させてアンカープレート１を支柱用芯材３の底部に固定する。なお、ビス挿通穴３ａにねじ切りしておき、ナットを使用せずにアンカープレート１の裏面から挿通したビス４をこのビス挿通穴３ａに直接螺合する構成も可能である。
【００１８】
図２は上記構成の支柱の立設対象であるベランダの構成を示す。
ベランダ５０には支柱を立設する位置に凹所５が形成されており、この凹所５の底部中央にはアンカープレート１のアンカー２が挿入位置する挿入穴５ａが凹設されている。この挿入穴５ａの内径はアンカー２の外径とほぼ同じに形成されている。
【００１９】
図３はこの凹所５の形成方法の一例を示している。ベランダ５０を構成するコンクリート打ちの際に、支柱用芯材３を立設すべき部分に対して前記凹所５の形状に対応する型材６を配置し、コンクリートが固まったならばこの型材６を取り外し〔同図（Ｂ）参照〕、図２に示す形状の凹所５を形成する。なおベランダの形成は工場で予め形成するプレキャスト型を前提としているが、この型材６を用いてコンクリート構造物の建設現場でも形成することは当然可能である。なお、凹所５の内周面がテーパーを成し、凹所５全体が略漏斗状に形成されているが、これは本発明において必須の構成ではなく、型材６の取り外し（引抜き）を容易にするための形状であり、その他の形状に構成することはもとより可能である。
【００２０】
図４は上述の支柱芯材３をベランダ５０に取り付ける状態を示している。
アンカープレート１の裏面から挿通したビス４を支柱用芯材３に直接螺合し、或いはナットを用いて螺合する。この場合ビス４の螺合状態をアンカープレート１と支柱用芯材３との間にがたつきが生じない範囲でやや緩めにした状態で同図（Ａ）に示すように、アンカープレート１のアンカー２をベランダ５０の凹所５の中央底部に設けられた挿入穴５ａに位置させ、この状態で槌７等を用いてアンカー２を挿入穴２に打ち込む。この打ち込みの際に支柱の垂直度を維持するように調整する。この場合アンカーが前述の拡張型の場合には前述のとおり凹所５ａとの係合がより確実となる。
【００２１】
アンカー２の打ち込みが完了し、かつ支柱用芯材３の立設位置が予め定められた位置にあることが確認されればそのままの状態で、また位置がずれている場合には支柱用芯材３の側部を軽く叩くなどの方法でアンカープレート１と支柱用芯材３の取り付け位置を微調整する。
【００２２】
続いて、同図（Ｂ）の如く凹所５と支柱用芯材３との間にくさび８を打ち込み、適正位置でかつ垂直位置にある支柱用芯材３を固定する。なお、くさび８の打ち込みを調整することにより支柱芯材３の垂直状態を微調整することももとより可能である。
【００２３】
次に、微調整を完了した各支柱用芯材３を仮設用桟９で相互に固定する。この状態で図（Ｃ）の如くそれぞれの支柱用芯材３と凹所５との間の空間部にモルタル等固化材１０を注入する。固化材１０の注入は、例えば凹所５の深さに対して半分程度の深さまで最初に注入し、この固化材１０が固化したならばくさび８を取り外し、更に残りの深さ分の固化材を注入する方法を採用すれば各支柱用芯材３の取り付けはより確実となる。
【００２４】
各支柱用芯材３がベランダに対して固定されたならば仮設用桟９を取り外し、それぞれ個別に立設している支柱用芯材３に対して例えば図５の符号５５で示すような支柱を嵌挿してビス止め、接着剤等の固定方法で支柱を当該支柱用芯材３に固定する。続いてそれぞれ所定位置に固定された各支柱に対して桟或いはパネルを取り付けることによりベランダの手摺りが完成する。
【産業上の利用可能性】
【００２５】
以上、本発明の構成をベランダの手摺りを構成する支柱の芯材を例に説明したが、コンクリート構造物に対する屋上フェンスの支柱の構成、或いは各種囲い（屋上に設置した空調機の屋外機や、給水タンク等を囲うもの等）の支柱、更には旗を立てるポールの立設等にも利用可能である。
【図面の簡単な説明】
【００２６】
【図１】本発明の実施例を示し、（Ａ）はアンカープレートの斜視図、（Ｂ）はアンカープレートの平面図、（Ｃ）はアンカープレートを取り付けた支柱用芯材の側面図、（Ｄ）は（Ｃ）におけるＡ−Ａ線による断面図であって支柱用芯材の断面を示す図、（Ｅ）はビスを一部取り付けた状態のアンカープレートの平面図（支柱用芯材は想像線で示されている）である。
【図２】図１に示す支柱用芯材の取り付け対象であるベランダの断面部分図である。
【図３】図２に示す凹所の形成方法の一例を示すベランダの断面部分図であって、（Ａ）はコンクリート打ちしたベランダに型材を配置した状態を、（Ｂ）は型材を引き抜く状態を示す図である。
【図４】図１に示す支柱用芯材をベランダに取り付ける状態を示す図であって、（Ａ）は支柱用芯材をベランダに打ち込む状態を、（Ｂ）は適正位置に配置された支柱用芯材をくさびで仮固定する状態を、（Ｃ）はベランダに固定された支柱用芯材に仮設用桟を取り付けた状態を示す図である。
【図５】本発明に最も近い先行技術における支柱の取り付け状態を示す図である。
【符号の説明】
【００２７】
１  アンカープレート
１ａ  （アンカープレートの）長穴
２  アンカー
３  支柱用芯材
３ａ  （支柱用芯材の）ビス挿通穴
４  ビス
５  （ベランダの）凹所
５ａ  （アンカー挿入用の）挿入穴
６  型材
７  槌
８  くさび
９  仮設用桟
１０  固化材
【図１】
2009180073.tif 000003
【図２】
2009180073.tif 000004
【図３】
2009180073.tif 000005
【図４】
2009180073.tif 000006
【図５】
2009180073.tif 000007
【手続補正書】
【提出日】平成21年2月2日(2009.2.2)
【手続補正１】
【補正対象書類名】図面
【補正対象項目名】全図
【補正方法】変更
【補正の内容】
【図１】
2009180073.tif 000008
【図２】
2009180073.tif 000009
【図３】
2009180073.tif 000010
【図４】
2009180073.tif 000011
【図５】
2009180073.tif 000012